(57)【要約】【課題】  往復印字を行う記録ヘッドについて、コンパクト、且つ高解像度の画像を高画質で提供することの出来る、優れた液体吐出記録ヘッドを提供する。【解決手段】  記録ヘッド３００の複数の吐出口１が所定のピッチで配設されることで、互いに略平行な吐出口列２１〜２３，３１〜３３を形成している。吐出口列は、それぞれ記録ヘッドの走査方向に対して対応する吐出口が一致する吐出口列群を形成しており、吐出口列３１〜３３により構成される第２の吐出口列群３０は、吐出口列２１〜２３により構成される第１の吐出口列群２０に隣接している。２つの吐出口列群２０，３０は、互いに隣接する列にそれぞれ同じ種類の液体を吐出する吐出口列２１，３１を備え、吐出口列群を形成する吐出口列の各吐出口が前記走査方向に対して互いに補完し合うように構成されている。【選択図】  図１
2011136575.tif 000002
【特許請求の範囲】
【請求項１】
被記録媒体に対して双方向に走査しつつ、第１の液体及び該第１の液体とは種類の異なる第２の液体をそれぞれ異なる吐出口から吐出して記録を行う液体吐出記録ヘッドにおいて、
複数の吐出口が前記走査方向とは異なる方向に所定のピッチで配設された吐出口列を、それぞれ対応する吐出口が前記走査方向に対して一致するように複数備える第１の吐出口列群と、
該第１の吐出口列群に隣接するとともに該第１の吐出口列群と同様の吐出口配列を有する第２の吐出口列群と、を有し、
前記第１の吐出口列群は、前記第１の液体を吐出する第１の吐出口列と、前記第２の液体を吐出する第２の吐出口列と、を備え、
前記第２の吐出口列群は、前記第１の液体を吐出する第３の吐出口列と、前記第２の液体を吐出する第４の吐出口列と、を備え、
前記第１の吐出口列群と前記第２の吐出口列群とは、前記第１の吐出口列と第３の吐出口列とが互いに隣接するとともに、前記第１の吐出口列を形成する吐出口と前記第３の吐出口列を形成する吐出口とが前記走査方向に対して互いに補完するように、吐出口の配列方向にずれて配設されることを特徴とする液体吐出ヘッド。
【請求項２】
前記第１の吐出口列と、前記第３の吐出口列との双方に前記第１の液体を供給するための共通液室を備えることを特徴とする請求項１に記載の液体吐出記録ヘッド。
【請求項３】
前記第１及び第２の液体とは異なる第３の液体を吐出するための吐出口列を、第１の吐出口列群及び第２の吐出口列群にそれぞれ備えることを特徴とする請求項１ないし２に記載の液体吐出記録ヘッド。
【請求項４】
前記第１の液体はイエローインクであり、前記第２及び第３のインクがシアンインク、マゼンタインクであることを特徴とする請求項３に記載の液体吐出記録ヘッド。
【請求項５】
前記第１の吐出口列群及び前記第２の吐出口列群を形成する吐出口列は、それぞれ吐出する液体の種類が前記第１および第３の吐出口列に対して線対称となるように配置されていることを特徴とする請求項１ないし４のいずれか１項に記載の液体吐出ヘッド。
【請求項６】
前記第１及び前記第２の吐出口列群とは別に、前記第１および第２の吐出口列で吐出される液体とは異なる種類の液体を吐出するための第５の吐出口列を備えることを特徴とする請求項１ないし５のいずれか１項に記載の液体吐出記録ヘッド。
【請求項７】
前記第５の吐出口列から吐出される液体がブラックインクであることを特徴とする請求項６に記載の液体記録吐出ヘッド。
【請求項８】
前記第１の吐出口列群及び前記第２の吐出口列群を同一のオリフィスプレート上に有することを特徴とする請求項１ないし７に記載の液体吐出記録ヘッド。
【請求項９】
前記第１の吐出口列群から液体を吐出するための複数のエネルギ発生素子列群と、前記第２の吐出口列群から液体を吐出するための複数のエネルギ発生素子列群とを同一の基板に有することを特徴とする請求項１ないし８のいずれか１項に記載の液体吐出記録ヘッド。
【請求項１０】
前記基板は面方位が＜１００＞のシリコン基板であることを特徴とする請求項９に記載の液体吐出記録ヘッド。
【請求項１１】
前記基板は面方位が＜１１０＞のシリコン基板であることを特徴とする請求項９に記載の液体吐出記録ヘッド。
【請求項１２】
前記基板は各吐出口列に液体を供給するための複数の貫通口を有し、該貫通口は異方性エッチングにより形成されていることを特徴とする請求項１０ないし１１に記載の液体吐出記録ヘッド。
【請求項１３】
前記オリフィスプレートは感光性エポキシ樹脂により形成されていることを特徴とする請求項８に記載の液体吐出記録ヘッド。
【請求項１４】
被記録媒体に対して双方向に走査しつつ、第１の液体及び該第１の液体とは種類の異なる第２の液体をそれぞれ異なる吐出口から吐出して記録を行う液体吐出記録ヘッドにおいて、
前記走査方向とは異なる方向に所定のピッチで複数の吐出口が配設された吐出口列を複数備えるオリフィスプレートと、
該オリフィスプレートの吐出口に対応して液体を吐出するためのエネルギー変換素子を備えるとともに、前記オリフィスプレートの吐出口列に対して液体を供給するための液体供給路と、前記エネルギ変換素子を駆動するための駆動回路と、を備える素子基板と、を有し、
前記オリフィスプレート上の吐出口列が、前記走査方向に対して第２の液体を吐出する第１の吐出口列、第１の液体を吐出する第２の吐出口列、第１の液体を吐出する第３の吐出口列、第２の液体を吐出する第４の吐出口列の順に配置されているとともに、
前記第１の液体を供給するための供給路は、前記第２の吐出口列と第３の吐出口列の双方に液体を供給することを特徴とする液体吐出ヘッド。
【発明の詳細な説明】
【技術分野】
【０００１】
本発明は、複数色のインクなどの複数の異なる種類の液体を、紙などの被記録媒体に付与する液体吐出記録ヘッドに関し、特に記録ヘッドを双方向に走査しつつ記録を行う双方向プリント装置に用いられる液体吐出記録ヘッドに関する。
【背景技術】
【０００２】
プリント装置、特にインクジェット方式のプリント装置に於いてはカラープリントにおける記録スピードの向上が重要なテーマとなっている。記録スピードの向上の手法としては、記録ヘッドの長尺化の他に、記録ヘッドの記録（駆動）周波数の向上や双方向プリントなどが一般的である。双方向プリントは片方向プリントに比較して、同じスループットを得るときに必要エネルギの分散化が時間的になされているので、トータルシステムとしてはコスト的に有効な手段となっている。
しかし、双方向プリント方式は記録装置、特に、記録ヘッドの構成によっては各色のインクの打ち込み順序が主走査の往方向と副方向で異なる為に、バンド状の色むらが発生するという原理的な問題を有していた。この問題は、インクの打ち込み順序に起因するため、異なる色のドットが少しでも重なる場合は多かれ少なかれ発色の差として現れるものである。
【０００３】
上述の課題を解決するための液体吐出記録ヘッドの構成としては、特開平１−２０８１４３号公報において、カラーの各色のノズルを副走査方向に並べる構成が開示されている。
【０００４】
一方、特開昭５８−１７９６５３号公報では、往路用ノズルと復路用ノズルとを用意する構成が開示されている。該公報においては、各色の打ち込み順序が同じになるように往路と復路とで使用ノズルまたは使用ヘッドを切り替えるものであり、その記録ヘッド部の構成は、Ｙ（イエロー），Ｍ（マゼンタ），Ｃ（シアン），Ｂｋ（ブラック）の各インクを吐出する記録ヘッドを組み合わせたものとなっている。
また、特開昭５８−２１５３５２号公報では、複数の記録ヘッドを異なる色のインクを吐出する複数のヘッド群により構成し、この複数の記録ヘッド群を被記録媒体の搬送方向に交互にずらして配置する構成を開示している。該公報の構成は、所望の画像密度に対して各記録ヘッドの吐出口ピッチを大きくすることが出来るため、高解像度の画像を容易に形成できるという点からも優れたものである。
【発明の概要】
【発明が解決しようとする課題】
【０００５】
しかしながら、特開平１−２０８１４３号に開示されるような構成においては、１色の記録領域に対して相対的に記録ヘッドが長尺になってしまい、装置が副走査方向に大型化してしまうという問題がある。
【０００６】
一方、特開昭５８−１７９６５３号公報や、特開昭５８−２１５３５２号公報に開示されているように複数の記録ヘッドを組み合わせた構成では、走査方向に対してヘッドの幅が増大するために、装置が走査方向に大型化するという問題があった。このような走査方向に対する記録ヘッドの大型化は、走査時間の増大につながるため、高速記録の観点からも望ましいものではなかった。
また、特開昭５８−２１５３５２号公報に開示されているような構成では、それぞれのヘッドを組み合わせて記録ヘッド部を構成する際に各ヘッドの位置あわせでずれが生じることにより、製造バラツキが生じ易い、という問題があった。特にＹ，Ｍ，Ｃ，Ｂｋの４色を吐出する記録ヘッド部の場合には、記録ヘッドをＹ−Ｂｋ−Ｍ−Ｃ−Ｃ−Ｍ−Ｂｋ−Ｙの順に、隣接する記録ヘッドとはノズルピッチの半分だけずらして固定する必要があり、このような記録ヘッド部を組み立てるためには、記録ヘッドの位置あわせのための機構が複雑且つ大型化するおそれがある。
【０００７】
本発明は、往復印字を行う記録ヘッドについて、上述の記録装置の大型化や、製造バラツキが生じ易いといった様々な課題を解決し、コンパクト、且つ高解像度の画像を高画質で提供することの出来る、優れた液体吐出記録ヘッドを提供することを目的とする。
【課題を解決するための手段】
【０００８】
上述の課題を解決するために、本発明の液体吐出記録ヘッドは、被記録媒体に対して双方向に走査しつつ、第１の液体及び該第１の液体とは種類の異なる第２の液体をそれぞれ異なる吐出口から吐出して記録を行う液体吐出記録ヘッドにおいて、複数の吐出口が前記走査方向とは異なる方向に所定のピッチで配設された吐出口列を、それぞれ対応する吐出口が前記走査方向に対して一致するように複数備える第１の吐出口列群と、該第１の吐出口列群に隣接するとともに該第１の吐出口列群と同様の吐出口配列を有する第２の吐出口列群と、を有し、前記第１の吐出口列群は、前記第１の液体を吐出する第１の吐出口列と、前記第２の液体を吐出する第２の吐出口列と、を備え、前記第２の吐出口列群は、前記第１の液体を吐出する第３の吐出口列と、前記第２の液体を吐出する第４の吐出口列と、を備え、前記第１の吐出口列群と前記第２の吐出口列群とは、前記第１の吐出口列と第３の吐出口列とが互いに隣接するとともに、前記第１の吐出口列を形成する吐出口と前記第３の吐出口列を形成する吐出口とが前記走査方向に対して互いに補完するように、吐出口の配列方向にずれて配設されることを特徴とする。
【０００９】
上述の液体吐出記録ヘッドによれば、第１、第２の２つの吐出口列群を位置あわせするだけで所望の高解像度のカラー画像を得ることが可能となる。また、第１の吐出口列群と、第２の吐出口列群とは、それぞれ同じ第１の液体を吐出する、前記第１の吐出口列と第３の吐出口列とが隣接するように配設されていることで、第１および第３の吐出口列への液体供給経路を共通化することができるので、記録ヘッドの走査方向、副走査方向の双方の幅を同時に小さくすることが可能となる。
【００１０】
上述の構成に対して、より好ましい付加的な構成として、詳細は後述するが次のような構成をあげることが出来る。これらの付加的な構成は、それぞれ単独で格別の効果を奏することが出来るものであるが、組み合わせ可能な付加的な構成を複数組み合わせることにより得られる構成は、本発明の目的に対して相乗的により優れた構成となるものである。
【００１１】
前記第１の吐出口列と、前記第３の吐出口列との双方に前記第１の液体を供給するための共通液室を備えてもよい。
【００１２】
また、吐出口列は前述の第１、第２の液体のみを吐出するものに限られず、前記第１及び第２の液体とは異なる第３の液体を吐出するための吐出口列を、第１の吐出口列群及び第２の吐出口列群にそれぞれ備えてもよい。特に、Ｙ，Ｍ，Ｃの各色インクを使用する場合には、前記第１の液体はイエローインクであることがより望ましい。
【００１３】
また、上述の往復印字での高画質化をより高い次元で実現させるためには、前記第１の吐出口列群及び前記第２の吐出口列群を形成する吐出口列は、それぞれ吐出する液体の種類が前記第１および第３の吐出口列に対して線対称となるように配置されていることが望ましい。
【００１４】
また、例えばＢｋのインクを吐出するための吐出口列は、前記第１及び前記第２の吐出口列群とは別に設けられていても良い。
【００１５】
上述の第１の吐出口列群及び第２の吐出口列群は、同一のオリフィスプレート状に設けられることで一体化されていてもよい。また、それぞれの吐出口列群の液体を吐出させるためのエネルギ発生素子列群を、同一の基板に設けてもよい。このように一体化した記録ヘッドとすることで、上述の吐出口列群同士の位置あわせをする必要がなく、より高精度な記録ヘッドを容易に提供することが出来る。
【００１６】
なお、エネルギ発生素子群を有する基板としてはシリコンが望ましく、液体を供給するための貫通穴を異方性エッチングにより形成する際には、面方位が＜１００＞、あるいは＜１１０＞であることがより望ましい。また、オリフィスプレートは感光性エポキシ樹脂により形成されていることで、上述の高密度な吐出口列群を高精度かつ容易に形成することが出来る。
【００１７】
また、本発明の他の形態の液体吐出ヘッドは、被記録媒体に対して双方向に走査しつつ、第１の液体及び該第１の液体とは種類の異なる第２の液体をそれぞれ異なる吐出口から吐出して記録を行う液体吐出記録ヘッドにおいて、前記走査方向とは異なる方向に所定のピッチで複数の吐出口が配設された吐出口列を複数備えるオリフィスプレートと、該オリフィスプレートの吐出口に対応して液体を吐出するためのエネルギー変換素子を備えるとともに、前記オリフィスプレートの吐出口列に対して液体を供給するための液体供給路と、前記エネルギ変換素子を駆動するための駆動回路と、を備える素子基板と、を有し、前記オリフィスプレート上の吐出口列が、前記走査方向に対して第２の液体を吐出する第１の吐出口列、第１の液体を吐出する第２の吐出口列、第１の液体を吐出する第３の吐出口列、第２の液体を吐出する第４の吐出口列の順に配置されているとともに、前記第１の液体を供給するための供給路は、前記第２の吐出口列と第３の吐出口列の双方に液体を供給することを特徴とする。上述の形態によれば、吐出口列群同士の位置あわせをする必要がなく、高精度なヘッドを容易に提供することができるとともに、２つの吐出口列への液体供給路を共通化することで、記録ヘッドの走査方向、副走査方向の双方の幅を同時に小さくすることができる。その上で、供給口が設けられていない領域に上記駆動回路を配置することも可能である。
【００１８】
なお、本明細書中において、「被記録媒体」とは、一般的なプリント装置で用いられる紙のみならず、広く、布、プラスチック・フィルム、金属板等、インクを受容可能なものを意味する。
【００１９】
また、「インク」とは、プリント媒体上に付与されることによって、画像、模様、パターン等の形成またはプリント媒体の加工に供され得る液体を意味する。
【００２０】
さらに、「画素領域」とは、１または複数のインクが付与されることにより１次色または２次色を表現する最小の領域を意味し、ピクセルに限らずスーパーピクセルやサブピクセルを含む。また、画素領域を完成するのに要する走査の回数は１回に限定されず、複数回でも良い。
【００２１】
さらに、「プロセスカラー」とは、２次色を含み、３色以上のインクをプリント媒体上で混合させて発色させた色を意味する。
【発明の効果】
【００２２】
以上説明したように、本発明によれば、第１、第２の２つの吐出口列群を位置あわせするだけで所望の高解像度のカラー画像を得ることが可能となる。また、第１の吐出口列群と、第２の吐出口列群とは、それぞれ同じ第１の液体を吐出する吐出口列が互いに隣接するように配設されていることで、それぞれの吐出口列への液体供給経路を共通化することができるので、記録ヘッドの走査方向、副走査方向の双方の幅を同時に小さくすることができるとともに、往復印字においても色ムラの少ない高速な印字を容易に行うことができる。
【図面の簡単な説明】
【００２３】
【図１】本発明の第１の実施形態の記録ヘッドの要部を示す説明図である。
【図２】本発明の第１の実施形態の記録ヘッドを搭載した記録ヘッドカートリッジの一例を説明するための説明図である。
【図３】本発明の第２の実施形態の記録ヘッドの要部を示す説明図である。
【図４】本発明の第２の実施形態の記録ヘッドを搭載した記録ヘッドカートリッジの一例を説明するための説明図である。
【図５】本発明の第３の実施形態の記録ヘッドの要部を示す説明図である。
【図６】本発明の第４の実施形態の記録ヘッドの要部を示す説明図である。
【図７】本発明の実施形態の吐出ノズルの位置とピクセルの構成の一例を示す説明図である。
【図８】本発明の実施形態の記録ヘッドによる往復印字での画像形成の様子を示す模式図である。
【図９】図７に示すピクセルにおけるドットの拡大具合を示す図である。
【図１０】本発明の液体吐出記録ヘッドを搭載可能な記録装置の一例を示す説明図である。
【発明を実施するための形態】
【００２４】
以下、図面を参照して本発明の実施の形態を詳細に説明する。
【００２５】
（第１の実施形態）
図１は、本発明の第１の実施形態の記録ヘッドの要部を模式的に示す説明図であり、（ａ）は上からみた模式図、（ｂ）は吐出口の配置を説明するための説明図、（ｃ）は断面図である。図１（ｃ）に示すように、本実施形態の記録ヘッド３００はエネルギー変換素子としての発熱抵素子５を含む基板７と、吐出口１を形成するオリフィスプレート６とを備えている。
【００２６】
基板７は、本実施例では面方位＜１００＞のシリコン単結晶で形成され、疎の上面（オリフィスプレート６との接続面）には、図１（ａ）に示すように発熱抵素子５、この発熱抵抗素子を駆動するための駆動トランジスタ等からなる駆動回路３、後述の配線板と接続するためのコンタクトパッド９、駆動回路３とコンタクトパッド９とを接続する配線８等が半導体プロセスを用いて形成されている。また、基板には上述の駆動回路３、発熱抵抗素子５、配線８、コンタクトパッド９を除いた領域に、異方性エッチングにより形成された貫通口が５つ設けられ、それぞれ後述する吐出口列２１〜２３，３１〜３３に液体を提供するためのインク供給口２，２ａを形成している。なお、図１（ａ）は基板７に対して略透明なオリフィスプレート６を載せた状態を模式的に表しており、上述のインク供給口は省略して描かれている。
【００２７】
この基板上に設けられるオリフィスプレート６は、本実施例では感光性エポキシ樹脂で形成され、例えば特開昭６２−２６４９５７号公報などに記載されるような工程により、前述の発熱抵抗素子５に対応して、吐出口１及び液流路１０が形成されている。ここで、前述の異方性エッチングを特開平９−１１４７９号公報に記載されているように、シリコン基板上に酸化シリコン膜あるいは窒化シリコン膜を形成した後、貫通口及び吐出口と液流路とを備えたオリフィスプレートを形成し、インク供給口部の酸化シリコン膜あるいは窒化シリコン膜を除去することは、安価で精密なインクジェットヘッドを作成することが出来るので望ましい。
【００２８】
このような基板７及びオリフィスプレート６とを有する記録ヘッド３００は、電気熱変換体５によって印加される熱エネルギーによる膜沸騰により生じる気泡の圧力を利用して、吐出口１よりインク等の液体を吐出して記録を行うものである。記録ヘッド３００は、図２（ａ）に示すように上述のインク供給口と連通するインク流路形成部材１２に固定され、コンタクトパッドを配線板１３と接続することで、この配線板に設けられた電気的接続部１１が後述する記録装置の電気接続部と接続した際に、駆動信号などを記録装置から受け取ることができる。図２（ｂ）は本発明の記録ヘッド３００を備えた記録ヘッドカートリッジ１００の一例を示す斜視図であり、この記録ヘッドカートリッジには、図２（ｃ）に示すように、上述したインク流路形成部材にインクを供給するためのインクタンク２００（２００Ｙ，２００Ｍ，２００Ｃ）を保持するためのタンクホルダ１５０を備えている。
【００２９】
ここで、本実施形態の記録ヘッドにおいては、吐出口１は複数設けられ、それらが所定のピッチで配設されることで、互いに略平行な吐出口列２１〜２３，３１〜３３を形成している。ここで、図１（ａ）において、吐出口列２１〜２３のそれぞれ図面上からｉ番目の吐出口は、図１（ａ）に示す矢印方向に対して一致している。このように、この記録ヘッドが後述する記録装置等に搭載されて走査されるときの走査方向に対して、本実施形態の吐出口列２１〜２３は、それぞれ対応する吐出口が一致するように配列されており、第１の吐出口列群２０が形成されている。吐出口列３１〜３３についても吐出口列２１〜２３と同様に配列されており、吐出口列３１〜３３によって第１の吐出口群２０に隣接するように第２の吐出口列群３０が形成されている。
【００３０】
本実施形態では、これら２つの吐出口列群による６つの吐出口列について、最も外側の吐出口列２３，３３ではシアン（Ｃ）を、吐出口列２２，３２ではマゼンタ（Ｍ）を、最も内側の互いに隣接する吐出口列２１，３１ではイエロー（Ｙ）を吐出するものである。そのため、前述のインク供給口２ａ（中央部に設けられたインク供給口）にはイエローインクが、インク供給口２ａに隣接する２つのインク供給口２にはマゼンタインクが、最も外側の２つのインク供給口２には、シアンインクが、それぞれ前述のインクタンク２００Ｙ，２００Ｍ，２００Ｃから供給されている。このように、中央のインク供給口２ａは２つの吐出口列２１，３１に対して液体を供給するものであり、インク供給口２ａ及び液流路１０ａはこれら２つの吐出口列２１，３１の共通の液室部として機能する。
【００３１】
このように、２つの吐出口列群が隣接する列に、それぞれ同じ種類の液体を吐出する吐出口列を備え、この中央部分に対して他の吐出口列及びそれらの駆動回路を略対称に配置することで、インク供給口２，２ａとしての貫通口、及び駆動回路や発熱抵抗素子などを基板に対して等間隔に無駄無く配置することが出来る。本実施例では、１つの発熱抵抗体５の大きさは３０μｍ×３０μｍ、吐出口、駆動回路及び配線の幅（図１（ａ）のａ参照）が１．２ｍｍ、インク供給口２の基板上面の幅（図１（ｃ）のｂ参照）が０．２ｍｍであり、基板サイズは１．２×６＋０．２×５＝８．２ｍｍとすることができる。このように、基板のサイズを小さくすることは、記録ヘッドの転送データを保持するためのメモリも基板サイズに比例してその容量を小さくすることができるという利点もある。
【００３２】
更に、本実施形態では、図１（ａ）及び図１（ｂ）より明らかなように、第１の吐出口列群２０と、第２の吐出口列群３０とは、それぞれの吐出口群を形成する吐出口列２１〜２３，３１〜３３の各吐出口が前述した走査方向に対して互いに補完し合うように、吐出口の配列方向にずれて配設されている。図１（ｂ）に示すように、本実施形態では、第１の吐出口列群及び第２の吐出口列群を形成する吐出口列は、いずれも１２８個の吐出口がｔ１＝ｔ２＝約４０μｍ（１／６００インチ）のピッチで列をなすことで形成されている。そして、吐出口列２１と吐出口列３１とでは、その配列が記録ヘッドの副走査方向（本実施例の場合、吐出口列の配列方向に一致する）に対して、ちょうど吐出口配列のピッチの１／２だけずれて（ｔ３＝１／２ｔ１＝約２０μｍ）配置されている。
【００３３】
そこで、この記録ヘッドによる記録方法の一例を図７，８を用いて説明する。
【００３４】
本実施形態では、各ノズルから約８ｐｌのインクを吐出して記録を行うものである。本実施形態の記録ヘッドを搭載する記録装置（図１０に示す）では、画像形成のための方法の一例として、高速モードと高解像度モードの２種類の記録を行うことが可能である。
【００３５】
図７及び図８は、上述の高速モードの動作を説明するための説明図である。この高速モードでは、画像処理及びデータ転送の時間を節約するため、主走査方向、副走査方向について、それぞれ１インチあたり６００ピクセルとし、１ピクセル内の互いに異なる位置に２発の液滴を吐出するものである。図７はシアンとイエローのドットを同じ位置に記録した場合を示しており、主走査のライン（ラスター）Ｒ１１、Ｒ１２により形成されるピクセル（ｐ）２３０に対してドット位置２３１とドット位置２３２の２ドットを一つのペアとして記録している。ここで、ドット位置（ｄ１）２３１が図の左上の対角位置を、ドット位置（ｄ２）２３２が右下の対角位置を示している。同図ではドット位置ｄ１とドット位置ｄ２のドット同士は重なっては示していないが、実際には図９で示すようにドットは一部オーバーラップしている（図９の斜線領域）のが通常である。
【００３６】
また、本実施例では、２ラスター（Ｒ（ｎ−１）１、Ｒ（ｎ−１）２）でピクセルｐが形成されるが、ノズルのピッチがｌ２が約４０μｍ（１／６００インチ）で、第１の吐出口列群２０と第２の吐出口列群３０とが副走査方向に対して半ピッチずれているため、ラスターの間隔ｌ１は約２０μｍ（１／１２００インチ）となっている。
【００３７】
ここで、１次色、例えばマゼンタ単色の印字を行う場合には、ピクセルｐのドット位置ｄ１、ｄ２に、吐出口列２２（以下Ｍ１）及び吐出口列３２（以下、Ｍ２）から走査方向に関係なくそれぞれ各１滴の液滴を吐出して画像を形成する（この場合は同じ色なので打ち込み順序による発色の差は現れない）。
【００３８】
それに対し、２次色、例えば図７に示すようなグリーンを印字するためには、１画素に対して吐出口列２３（以下Ｃ１）、吐出口列２１（以下Ｙ１）、吐出口列３１（以下Ｙ２）、吐出口列３３（以下Ｃ２）、の各列から各１滴の液滴を吐出して画像を形成する。
往方向に記録を行う場合、Ｃ１→Ｙ１→Ｙ２→Ｃ２の吐出口列の順に被記録媒体の所定のピクセルｐを通過して行くので、図８（ａ）〜（ｄ）に示す順に液滴がピクセルｐ上に着弾する。ここで、ピクセルｐのドット位置ｄ１では、Ｃ→Ｙの順に液滴が着弾しているため、先に着弾したシアンの発色が優勢となる。一方、ドット位置ｄ２では、Ｙ→Ｃの順に液滴が着弾しているため、先に着弾したイエローの発色が優勢となる。
【００３９】
復方向に記録を行う場合には、Ｃ２→Ｙ２→Ｙ１→Ｃ１の吐出口列の順に被記録媒体の所定のピクセルｐを通過して行くので、図８（ｅ）〜（ｈ）に示す順に液滴がピクセルｐ上に着弾する。ここで、ピクセルｐのドット位置ｄ１では、Ｙ→Ｃの順に液滴が着弾しているため、先に着弾したイエローの発色が優勢となる。一方、ドット位置ｄ２では、Ｃ→Ｙの順に液滴が着弾しているため、先に着弾したシアンの発色が優勢となる。
このように、上述の高速モードでは、ピクセルｐ内でみると、シアンの発色が優勢なドットと、イエローの発色が優勢なドットとが走査方向に関わらず常にペアで使用されていることで、この画素は中間的なグリーンの発色となる。
【００４０】
実際には図９に示すようにこのピクセルｐを含む高速モードでの１画素の領域ではｄ１とｄ２とがオーバーラップしているので、高速モードでの１画素に対する打ち込み（付与）順としては、往路はＣ１からのシアンドット、Ｙ１からのイエロードット、Ｙ２からのイエロードット、Ｃ２からのシアンドットとなり、復路ではＣ２からのシアンドット、Ｙ２からのイエロードット、Ｙ１からのイエロードット、Ｃ１からのシアンドットとなる。このように、打ち込み順が対称、言い換えればインクの付着順序は同じとなるため、グリーンの発色を均一に発現させることが可能となる。そのため、往復印字による色ムラの発生を防止することができる。
【００４１】
次に、高解像度モードについて説明する。このモードでは、１画素を走査方向は１インチあたり６００ピクセル、副走査方向は１インチあたり１２００ピクセルとし、単色（Ｃ，Ｍ，Ｙのいずれか）を印字する場合に１画素に対して１発の液滴を吐出させる。この場合、画像領域をマスキングし、Ｃ１，Ｍ１，Ｙ１の組で記録を行う画素と、Ｃ２，Ｍ２，Ｙ２の組で記録を行う画素とに分けた後、印字を行う。この場合には、各吐出口列のノズル密度が１インチあたり６００個でありながら、副走査方向に１インチあたり１２００ピクセルの画素を形成することが可能となり、高精細な画像を容易に形成することができる。なお、この高解像度モードでは、例えばグリーンを印字する際に、Ｃ１とＹ１で記録を行う画素（Ｃ，Ｙの順に被記録媒体に付着するのでシアンの発色が強い）と、Ｃ２，Ｙ２で記録を行う画素（Ｙ，Ｃの順に被記録媒体に付着するのでイエローの発色が強い）と、の２種類の発色の異なる画素が混在することになるが、適当なマスキングにより両者を均等に配置することで、色ムラを検知しにくいレベルまで低減することができる。
【００４２】
なお、上述の記録方法は本発明の液体吐出ヘッドを用いて往復印字を行う際に好適な方法の一つであり、本発明の液体吐出ヘッドを用いた画像の形成方法は、上述の２つの記録モードのみに限定されるものではない。
【００４３】
（第２の実施形態）
図３及び図４は本発明の第２の実施形態の記録ヘッド、及びこの記録ヘッドを搭載する記録ヘッドカートリッジを示す図である。本実施形態では、前述の第１の実施形態と同様の機能を有する個所には同じ図番を付け、その詳細な説明は省略する。図３は記録ヘッドの要部を模式的に示す説明図であり、（ａ）は上からみた模式図、（ｂ）は吐出口の配置を説明するための説明図、（ｃ）は断面図である。また、図４（ａ）は、インク流路形成部材１２に固定された図３に示す記録ヘッドを示す斜視図、図４（ｂ）は本発明の記録ヘッド３００を備えた記録ヘッドカートリッジ１００の一例を示す斜視図、図４（ｃ）はこの記録ヘッドカートリッジに着脱自在に搭載されるインクタンクを説明するための説明図である。
【００４４】
本実施形態では、前述の第１の実施形態に対して、まず、面方位が＜１１０＞のシリコン基板を用いている点が異なっている。本実施例においては、エッチングによりインク供給口２，２ａを形成する際に、基板に対して垂直にエッチングが進行するために、図３（ｃ）に示すように厚み方向でその断面形状の変化の少ないインク供給口を容易に得ることができる。従って、本実施例の基板サイズは、基板面上のパターンにより決定されることとなり、より一層記録ヘッドの小型化を行うことができる。なお、図３（ｃ）に示す形状のインク供給口を形成する場合には、上述の構成でエッチングを行うことで容易に形成できるが、サンドブラストやレーザー加工など他の方法によって形成してもよい。このように他の方法により図３（ｃ）に示す形状のインク供給口を形成する場合、その基板の材料は面方位が＜１１０＞のシリコン基板を用いる必要はない。
【００４５】
また、本実施形態では、インク流路形成部材１２には、上述のＹ，Ｍ，Ｃの各インクを吐出可能な記録ヘッド３００のほかに、更にブラックインク（Ｂｋ）を吐出させるための吐出口列４０，４１を備えた記録ヘッド４００を固定し、これらを組み合わせて４色のインクを吐出可能な記録ヘッドカートリッジを形成している。ブラックは２次色の形成には一般的には用いないので、対称配置にする必要はない。また、モノクロ記録における記録速度を向上させるためにノズルの数が他の色のヘッドよりも多く設けられている。本実施例では、Ｂｋ用の吐出口列４０，４１は、吐出口列２１，３１と同様に、各吐出口が走査方向に対して互いに補完し合うように配列されており、各吐出口列のノズル配列密度の倍の密度で副走査方向に記録を行うことができるようになっている。
【００４６】
なお、本実施形態においても、前述の第１の実施形態に示すような記録モードで印字を行うことができる。
【００４７】
（第３の実施形態）
図５は本発明の第３の実施形態の記録ヘッド示す図である。本実施形態では、前述の第１、第２の実施形態と同様の機能を有する個所には同じ図番を付け、その詳細な説明は省略する。図５は記録ヘッドの要部を模式的に示す説明図であり、（ａ）は上からみた模式図、（ｂ）は吐出口の配置を説明するための説明図、（ｃ）は断面図である。
【００４８】
本実施形態では、前述の第１、第２の実施形態とは異なり、基板７に設けられる貫通穴は３つであり、外側の２つの吐出口列に対するインク供給口２ｂは、基板７端部とインク流路形成部材１２とにより形成している。このような配置にすることで、記録ヘッド３００の基板のサイズを更に小さくすることができる。
【００４９】
（第４の実施形態）
図６は本発明の第３の実施形態の記録ヘッド示す図である。本実施形態では、前述の第１、第２の実施形態と同様の機能を有する個所には同じ図番を付け、その詳細な説明は省略する。図６は記録ヘッドの要部を模式的に示す説明図であり、（ａ）は上からみた模式図、（ｂ）は断面図である。
【００５０】
本実施形態では、Ｂｋを吐出する吐出口列２４，３４を、それぞれ第１、第２の吐出口列群に設けたものである。
なお、往復印字をする際に、上述の第１の実施形態にて詳細に説明した色ムラを低減させるための記録方法を行うためには、最低でも重ねあわせて使用する２種類の液体を吐出する吐出口列について、第１、第２の吐出口群に含まれていればその種類の液体の重ねあわせについては効果を奏することができる。しかしながら、より色ムラの少ない画像を得るためには、重ねあわせする液体を吐出する吐出口列の配置が上述の各実施形態のように対照的なハイチとなっていることがより望ましい。
【００５１】
なお、上述の各実施形態においては、重ねあわせる液体の種類として、インクジェット記録分野で最もよく用いられるシアン、マゼンタ、イエローの各インクを例に説明したが、それらの淡色インクを含んでもよく、また、グリーン、ブルー、レッドなど、重ねあわせることのできる液体の種類は、他の色の組あわせであってもよい。
【００５２】
また、上述の各実施形態においては、第１の吐出口列群と、第２の吐出口列群とを同一のオリフィスプレートに有する構成、あるいは第１の吐出口列群の吐出口から液滴を吐出するためのエネルギー変換素子及び第２の吐出口列群の吐出口から液滴を吐出するためのエネルギー変換素子を同一の基板に有する構成、となっている。これに対し、第１の吐出口列群と第２の吐出口列群とが別体の記録ヘッドで、これらを組み立ててヘッドユニットとする構成であっても、これら２つのヘッドの互いの位置あわせをするだけでよいので、本願発明は適用可能である。しかしながら、上述の実施形態のような構成とすることは、記録ヘッドの吐出口列の位置あわせそのものをする必要がない点で、より望ましい構成である。
【００５３】
（その他）
最後に、図１０を用いて上述の各実施形態において説明した記録ヘッド、あるいは記録ヘッドカートリッジを搭載可能な液体吐出記録装置の説明を行う。図１０は、本発明の液体吐出記録ヘッドを搭載可能な記録装置の一例を示す説明図である。
【００５４】
図１０において、ヘッドカートリッジ１００がキャリッジ１０２に交換可能に搭載されている。ヘッドカートリッジ１００は、記録ヘッドユニット５０およびインクタンク２００を有し、また、ヘッド部を駆動するための信号などを授受するためのコネクタが設けられている（不図示）。
ヘッドカートリッジ１００はキャリッジ１０２に位置決めして交換可能に搭載されており、キャリッジ１０２には、上記コネクターを介して各ヘッド・カートリッジ１００に駆動信号等を伝達するための電気接続部が設けられている。
キャリッジ１０２は、主走査方向に延在して装置本体に設置されたガイド・シャフト１０３に沿って往復移動可能に案内支持されている。そして、キャリッジ１０２は主走査モータ１０４によりモータ・プーリ１０５、従動プーリ１０６およびタイミング・ベルト１０７等の駆動機構を介して駆動されるとともにその位置及び移動が制御される。また、ホームポジションセンサ１３０がキャリッジに設けられている。これにより遮蔽板１３６の位置をキャリッジ１０２上のホームポジションセンサ１３０が通過した際に位置を知ることが可能となる。
【００５５】
印刷用紙やプラスチック薄板等の被記録媒体１０８は給紙モータ１３５からギアを介してピックアップローラ１３１を回転させることによりオートシートフィーダ（以降ＡＳＦ）１３２から一枚ずつ分離給紙される。更に搬送ローラ１０９の回転により、ヘッドカートリッジ１００の吐出口面と対向する位置（プリント部）を通って搬送（副走査）される。搬送ローラ１０９はＬＦモータ１３４の回転によりギアを介して行われる。その際、給紙されたかどうかの判定と給紙時の頭出し位置の確定は、ペーパエンドセンサ１３３を被記録媒体１０８が通過した時点で行われる。更に、被記録媒体１０８の後端が実際にどこに有り、実際の後端から現在の記録位置を最終的に割り出す為にもペーパエンドセンサ１３３は使用されている。
【００５６】
なお、被記録媒体８は、プリント部において平坦なプリント面を形成するように、その裏面をプラテン（不図示）により支持されている。この場合、キャリッジ１０２に搭載されたヘッドカートリッジ１００は、それらの吐出口面がキャリッジ１０２から下方へ突出して前記２組の搬送ローラ対の間で被記録媒体１０８と平行になるように保持されている。
【００５７】
ヘッド・カートリッジ１００は吐出口列の方向が上述したキャリッジの走査方向に対して異なる方向になるようにキャリッジに搭載され、これらの吐出口列から液体を吐出して記録を行う。上述の各実施形態では、熱エネルギーを利用してインクを吐出するために、熱エネルギーを発生する電気熱変換体を備えていたが、もちろん、圧電素子によってインクを吐出する等、その他の方式であっても良い。
【符号の説明】
【００５８】
１  吐出口
２  インク供給口
３  駆動回路
４  コンタクトパッド
５  エネルギー変換素子（発熱抵抗素子）
６  オリフィスプレート
７  基板
８  配線
９  コンタクトパッド
１０  液流路
１１  電気的接続部
１２  インク流路形成部材
１３  配線板
２０  第１の吐出口列群
２１，２２，２３，２４  吐出口列
３０  第２の吐出口列群
３１，３２，３３，３４  吐出口列
４０，４１  吐出口列
５０  記録ヘッドユニット
１００  記録ヘッドカートリッジ
１５０  タンクホルダ
２００  インクタンク
２３０  ピクセル（画素）
２３１，２３２  ドット位置
【図１】
2011136575.tif 000003
【図２】
2011136575.tif 000004
【図３】
2011136575.tif 000005
【図４】
2011136575.tif 000006
【図５】
2011136575.tif 000007
【図６】
2011136575.tif 000008
【図７】
2011136575.tif 000009
【図８】
2011136575.tif 000010
【図９】
2011136575.tif 000011
【図１０】
2011136575.tif 000012